(57)【要約】【課題】簡単な構成でありながら、部屋の広さ及び入室人数に応じた適切な音圧周波数特性の調整を実現できるようにする。【解決手段】入退室管理装置５０では、入店処理として得た入室人数を該当するカラオケ装置１へＬＡＮを介して通知する。カラオケ装置１では、ハードディスク記憶装置１４に記憶された最大収容人数及び入退室管理装置５０から通知される入室人数に対応する目標ゲイン値を、ハードディスク記憶装置１４に記憶された目標ゲイン値テーブル中から読み出し、その読み出した目標ゲイン値に基づいてイコライザ２５のゲイン値を調整する。目標ゲイン値テーブルには、部屋の大きさ（最大収容人数を基準とした１人部屋、２人部屋…）及び入室人数に対応して目標ゲイン値が設定されている。【選択図】図１
2006039299.tif 000002
【特許請求の範囲】
【請求項１】
再生音場における音圧周波数特性を変更するためにゲイン値を変更可能なイコライザと、前記イコライザのゲイン値を調整するゲイン値調整手段と、を備える音圧周波数特性調整装置であって、
部屋の最大収容人数と入室人数に応じて設定された複数の目標音圧周波数特性を特定するゲイン（以下、目標ゲイン値と称す。）を記憶しておく目標ゲイン値記憶手段と、
自装置が存在する部屋の最大収容人数を記憶しておく最大収容人数記憶手段と、
自装置が存在する部屋に実際に入室した人数を特定する情報を取得する入室人数特定情報取得手段と、を備え、
前記ゲイン値調整手段は、前記最大収容人数記憶手段に記憶された最大収容人数及び前記入室人数特定情報取得手段によって取得した特定情報にて特定される入室人数に対応する目標ゲイン値を前記目標ゲイン値記憶手段から読み出し、その読み出した目標ゲイン値に基づいて前記イコライザのゲイン値を調整すること
を特徴とする音圧周波数特性調整装置。
【請求項２】
請求項１に記載の音圧周波数特性調整装置を備えたカラオケ装置。
【請求項３】
請求項２に記載のカラオケ装置において、
カラオケ装置が存在する部屋毎の利用人数の管理を含む、入退室に関する管理を行うための入退室管理装置との間で情報通信可能に構成されており、
前記入室人数特定情報取得手段は、前記入退室管理装置から自カラオケ装置が存在する部屋への実際の入室人数を特定する情報を取得すること
を特徴とするカラオケ装置。
【請求項４】
請求項２に記載のカラオケ装置において、
カラオケ装置が存在する部屋へ進入した人数を検出する進入人数検出手段を備え、
前記入室人数特定情報取得手段は、前記進入人数検出手段にて検出した進入人数に基づいて入室人数を特定する情報を取得すること
を特徴とするカラオケ装置。
【請求項５】
請求項２に記載のカラオケ装置において、
カラオケ装置が設置された部屋内の撮影映像に基づいて当該部屋内に存在する人間の数を検出する存在人数検出手段を備え、
前記入室人数特定情報取得手段は、前記存在人数検出手段にて検出した存在人数に基づいて入室人数を特定する情報を取得すること
を特徴とするカラオケ装置。
【請求項６】
請求項２に記載のカラオケ装置において、
利用人数を含む、利用者からの各種入力を受け付け可能な受付手段を備え、
前記入室人数特定情報取得手段は、前記受付手段にて受け付けた利用人数を、入室人数を特定する情報として取得すること
を特徴とするカラオケ装置。
【請求項７】
請求項２〜６の何れかに記載のカラオケ装置と配信用ホスト装置とを備え、前記配信用ホスト装置と前記カラオケ装置とが通信回線を介して相互に情報通信可能に構成された情報通信システムであって、
前記配信用ホスト装置は、前記カラオケ装置に対して、前記目標ゲイン値を配信する配信制御手段を備え
前記カラオケ装置の前記ゲイン値調整手段は、前記配信用ホスト装置から配信された前記目標ゲイン値に基づいて前記イコライザのゲイン値を調整すること
を特徴とする情報通信システム。
【請求項８】
請求項１に記載のイコライザと、ゲイン値調整手段と、目標ゲイン値記憶手段と、最大収容人数記憶手段と、入室人数特定情報取得手段とを備えた音圧周波数特性調整装置において、その音圧周波数特性調整装置が備えるコンピュータにて実行されるプログラムであって、
前記コンピュータを請求項１に記載の音圧周波数特性調整装置が備える前記ゲイン値調整手段として機能させるためのプログラム。
【発明の詳細な説明】
【技術分野】
【０００１】
本発明は、再生音場における音圧周波数特性の調整技術に関する。
【背景技術】
【０００２】
良好な再生音場を得るための技術として、特許文献１には次のような音響再生装置が開示されている。すなわち、再生装置からの出力を主音源用増幅装置にて主音源に出力すると同時に、制御手段に入力して位相、振幅、周波数成分を制御した後、副音源用増幅装置にて増幅して副音源に出力することによって、定在波の発生を抑止し、音響的に優れた音場を形成しようというものである。この場合、床への荷重、リスナーの体温などを検出し、それらに基づいて受聴点（リスニングポイント）を特定し、その受聴点において最適な音場を形成する。
【特許文献１】特開平７−７５１９３号公報
【発明の開示】
【発明が解決しようとする課題】
【０００３】
しかしながら、上述した音響再生装置においては、主音源とは別に副音源を準備しなくてはならず、構成が複雑化し、コストアップになる。
また、部屋のどこにリスナーが存在するのかを検出して、その受聴点において最適な音場を形成するという思想は提案されているが、部屋の広さや、その室内に居る人数（入室人数）に着目はしていない。つまり、主音源や副音源への出力は、部屋の広さや入室人数とは無関係に定められている。部屋の広さに応じて適切な音圧周波数特性が異なると共に、入室人数によっても適切な音圧周波数特性は異なる。人体と空気という２種類の媒体を考えた場合、それらの媒体内での音速が異なるためである（例えば下記ＵＲＬ参照）。
【０００４】
http://www.us-image.org/Online_WS/kisokouza/us_kiso/us_kiso3.html
そこで本発明は、簡単な構成でありながら、部屋の広さ及び入室人数に応じた適切な音圧周波数特性の調整を実現できるようにすることを目的とする。
【課題を解決するための手段】
【０００５】
上述した問題点を解決するためになされた本発明の音圧周波数特性調整装置は、再生音場における音圧周波数特性を変更するためにゲイン値を変更可能なイコライザと、イコライザのゲイン値を調整するゲイン値調整手段と、部屋の最大収容人数と入室人数に応じて設定された複数の目標音圧周波数特性を特定するゲイン（＝目標ゲイン値）を記憶しておく目標ゲイン値記憶手段と、自装置が存在する部屋の最大収容人数を記憶しておく最大収容人数記憶手段と、自装置が存在する部屋に実際に入室した人数を特定する情報を取得する入室人数特定情報取得手段と、を備えている。部屋の広さは最大収容人数に概ね対応しているため、例えば目標ゲイン値を設定する側において、予め最大収容人数に対応する標準的な部屋にて実測等をすることによって目標ゲイン値を設定しておくことが可能である。そして、入室人数を１人〜最大収容人数まで変化させながら実測等をし、部屋の最大収容人数と入室人数に応じた目標ゲイン値を設定すればよい。このような部屋の最大収容人数及び入室人数と目標ゲイン値との対応関係を目標ゲイン値記憶手段に記憶しておけばよいのである。
【０００６】
そしてゲイン値調整手段は、最大収容人数記憶手段に記憶された最大収容人数及び入室人数特定情報取得手段によって取得した特定情報にて特定される入室人数に対応する目標ゲイン値を目標ゲイン値記憶手段から読み出し、その読み出した目標ゲイン値に基づいてイコライザのゲイン値を調整する。このようにすることで、本発明の音圧周波数特性調整装置によれば、従来技術にて開示した音響再生装置のように主音源と別に副音源を準備する必要もなく、簡易な構成となる。そうでありながら、部屋の広さ及び入室人数に応じた適切な音圧周波数特性の調整を実現できる。
【０００７】
このような音圧周波数特性調整装置は種々の音楽再生装置に適用することが可能であるが、例えば請求項２に示すように、カラオケ装置に適用すると非常に有用である。カラオケ装置がカラオケボックスに設置される場合を考えると、各部屋の最大収容人数が複数種類存在することが多い。つまり、利用者側の人数に応じて適切な部屋を準備しておくことが営業上も重要となってくるからである。但し、常に最大収容人数の利用者となるのではないため、実際の入室人数が最大収容人数未満となることも多い。例えば２〜３人のグループであっても、他に適切な部屋がない場合には、例えば最大収容人数１０人の部屋を利用させることも考えられる。したがって、本発明のカラオケ装置であれば、部屋の広さ及び入室人数に応じた適切な音圧周波数特性の調整がなされた状態でカラオケを楽しむことができ、利用者の満足度を向上させることができる。
【０００８】
入室人数特定情報を取得する方法は種々考えられるので、以下、いくつか例示する。
（１）請求項３に係るカラオケ装置の場合には、カラオケ装置が存在する部屋毎の利用人数の管理を含む、入退室に関する管理を行うための入退室管理装置との間で情報通信可能に構成されている。そして入室人数特定情報取得手段は、入退室管理装置から自カラオケ装置が存在する部屋への実際の入室人数を特定する情報を取得する。カラオケ装置が設置された部屋が複数存在するカラオケ店の場合、来客カウンタなどに入退室管理装置が置かれ、カラオケ店各室の使用状況、入室人数、残り使用時間、各室に提供された飲食物などの対価の総額を管理するようにしていることが多い。例えば新規の来客があった場合には店員が空室を検索し、空室が存在する場合には、入店処理として、その部屋に入室する人数を入力する。また、利用客から飲食物の注文があった場合には、この端末に対して注文履歴を入力し、退室時の利用料金精算などに利用することもある。したがって、カラオケ装置では、このような管理のために入力した入室人数を入退室管理装置から提供してもらうことによって入室人数を容易に把握できる。
【０００９】
（２）請求項４に係るカラオケ装置の場合には、カラオケ装置が存在する部屋へ進入した人数を検出する進入人数検出手段を備えている。例えば実施形態に示すＣｄＳセル（硫化カドミウムを主成分とした光導電素子）や赤外線センサや超音波センサなどによって部屋へ通じる通路や部屋の入り口を通過した人数を検出することが考えられる。そして入室人数特定情報取得手段は、進入人数検出手段にて検出した進入人数に基づいて入室人数を特定する情報を取得する。
【００１０】
（３）請求項５に係るカラオケ装置の場合には、カラオケ装置が設置された部屋内の撮影映像に基づいて当該部屋内に存在する人間の数を検出する存在人数検出手段を備えている。撮影画像に基づき人間らしき物体を例えばパターンマッチング等によって検出する。
そして入室人数特定情報取得手段は、例えば特開２００１−１７５８６８号公報等に開示された公知技術による存在人数検出手段にて検出した存在人数に基づいて入室人数を特定する情報を取得する。
【００１１】
（４）請求項６に係るカラオケ装置の場合には、カラオケ装置自身が、利用人数を含む、利用者からの各種入力を受け付け可能な受付手段を備えている。例えば操作パネルやリモコン等である。そして入室人数特定情報取得手段は、受付手段にて受け付けた利用人数を、入室人数を特定する情報として取得する。
【００１２】
上述した（１）〜（４）の手法の特徴を簡単にまとめておく。（１）〜（３）の手法の場合には、利用者の操作なしに入室人数を特定する情報を取得できるが、（４）の手法の場合には利用者に操作してもらうことを前提としているため、利用者への負担を軽減する意味では（１）〜（３）の手法が好ましい。一方、より正確な入室人数とする観点からは（１）又は（４）のような手作業に基づくものがよい。（２）及び（３）の手法の場合にはあくまで推定検出となるため、誤差が発生する可能性があるからである。なお、（４）の手法の場合、例えばカラオケ店の店員が当該部屋まで出向き、受付手段を介して入室人数を入力することで利用者の負担軽減を実現することも考えられる。但し、そのような作業が発生するのであれば、（１）のように入退室管理装置において集中的に管理する方が効率的である。
【００１３】
請求項７に係る情報通信システムは、請求項２〜６の何れかに記載のカラオケ装置と配信用ホスト装置とを備え、配信用ホスト装置とカラオケ装置とが通信回線を介して相互に情報通信可能に構成されている。そして配信用ホスト装置は、カラオケ装置に対して、目標ゲイン値を配信する配信制御手段を備え、カラオケ装置のゲイン値調整手段は、配信用ホスト装置から配信された目標ゲイン値に基づいてイコライザのゲイン値を調整する。
【００１４】
このように目標ゲイン値を配信用ホスト装置から配信するようにした場合、例えば１台の配信用ホスト装置に数万台の端末装置が接続されているような情報通信システムであれば顕著な効果が得られる。つまり、目標ゲイン値記憶手段に記憶させておく目標ゲイン値は、部屋の最大収容人数と入室人数に応じて設定されるのであるが、部屋の最大収容人数の種類や目標ゲイン値の微修正をしたりした場合であっても、配信用ホスト装置から各カラオケ装置に配信すれば即座に対応できるため、非常に便利である。
【００１５】
また、配信用ホスト装置とカラオケ装置との間の通信回線としては一般公衆回線網（ＰＳＴＮ：Public Switched Telephone Networks）やインターネットを使用することができる。このようなホスト−端末間での通信システムを構築する場合、ホスト発呼・端末発呼という手法が考えられるが、本発明の場合には、ホスト・端末の何れから発呼するシステムを採用しても、目標ゲイン値の配信さえできれば後は端末装置にて調整作業が完結するため、その調整作業は端末装置側の任意のタイミングで実行することができる。
【００１６】
なお、音圧周波数特性調整装置が備えるゲイン値調整手段をコンピュータにて実現する場合、請求項８に記載するように、音圧周波数特性調整装置が備えるコンピュータで実行するプログラムとしての発明としても捉えることができる。このようなプログラムは、例えばフレキシブルディスク、光磁気ディスク、ＣＤ−ＲＯＭ、ハードディスク、ＲＯＭ、ＲＡＭ等のコンピュータ読み取り可能な記録媒体に記録し、必要に応じてコンピュータにロードして実行したり、ネットワークを介してロードして実行することにより、これら各手段としての機能を実現できる。
【発明を実施するための最良の形態】
【００１７】
以下に本発明の実施形態を図面と共に説明する。
［第１実施形態］
図１は、第１実施形態のカラオケ装置を含む、情報通信システムとしての通信カラオケシステムの構成を示すブロック図である。
【００１８】
本実施形態の通信カラオケシステムは、通信端末としてのカラオケ装置１と、配信用ホスト装置１００とが一般公衆回線網（ＰＳＴＮ）又はインターネット９０を介して接続され、配信用ホスト装置１００からカラオケ装置１へ各種情報を配信するよう構成されている。なお、カラオケ装置１と配信用ホスト装置１００との間はインターネットを介して接続してもよい。また、図１ではカラオケ装置１を１台しか示していないが、当然ながら多数（例えば数万台といったレベル）のカラオケ装置１が接続されている。
【００１９】
配信用ホスト装置１００は、装置全体の動作を制御するＣＰＵ１０１、ＲＯＭ１０２、ＲＡＭ１０３、ハードディスク記憶装置（ＨＤＤ）１０４、通信制御部１０５などを備えている。ハードディスク記憶装置（ＨＤＤ）１０４には、カラオケ装置１へ配信するための曲データや目標ゲイン値などが記憶されている。この目標ゲイン値に関しては後で詳しく説明する。また、通信制御部１０５は一般公衆回線網又はインターネット９０を介してカラオケ装置１と接続されている。
【００２０】
また、カラオケ装置１は、ＬＡＮを介して入退室管理装置５０と接続されている。入退室管理装置５０は、装置全体の動作を制御するＣＰＵ５１、ＲＯＭ５２、ＲＡＭ５３、ハードディスク記憶装置（ＨＤＤ）５４、ＮＩＣ（Network Interface Card）５５などを備えており、さらにモニタ６０及び入力装置６５が接続されている。この入退室管理装置５０は、カラオケ店の来客カウンタなどに設置され、カラオケ店各室の使用状況、入室人数、残り使用時間、各室に提供された飲食物などの対価の総額を管理するためのものであり、いわゆるＰＯＳ（Point Of Sales）端末としても機能する。例えば新規の来客があった場合には店員が空室を検索し、空室が存在する場合には、入店処理として、その部屋に入室する人数を入力する。また、利用客から飲食物の注文があった場合には、この入退室管理装置５０に対して注文履歴を入力し、退室時の利用料金精算などに利用することもある。これら各部屋の情報はハードディスク記憶装置５４に記憶される。したがって、カラオケ装置１では、このような管理のために入力した入室人数を入退室管理装置５０から提供してもらうことによって入室人数を容易に把握できる。なお、カラオケ店に複数のカラオケ装置１が存在する場合に、それら複数のカラオケ装置１の入退室管理を１台の入退室管理装置５０にて行う。したがって、１台の入退室管理装置５０に複数のカラオケ装置１が接続されることとなる。
【００２１】
一方、カラオケ装置１は、大きく分けてメイン制御部１０と音声処理部２０とを備えている。
（メイン制御部１０の構成）
メイン制御部１０は、メイン制御部１０全体の動作を制御するＣＰＵ１１に、バスを介してモデム１２、ＲＡＭ１３、ハードディスク記憶装置（ＨＤＤ）１４、操作パネル１５、映像処理部１６が接続されている。
【００２２】
モデム１２は一般公衆回線網又はインターネット９０を介して配信用ホスト装置１００と接続されている。
ハードディスク記憶装置１４には、このカラオケ装置１の動作を制御するシステムプログラム、アプリケーションプログラムなどが記憶されており、カラオケ装置１の電源がオンされて起動プログラムが実行されると、これらのプログラムがＲＡＭ１３に読み込まれる。また、ハードディスク記憶装置１４には、上述したプログラムを記憶するエリアのほか、カラオケ演奏するための曲データを記憶するエリア、目標ゲイン値を記憶するエリアなどを備えている。
【００２３】
目標ゲイン値は上述した配信用ホスト装置１００から配信されたものである。この目標ゲイン値は、図２に示すテーブルのように、部屋の大きさ（ここでは、最大収容人数を基準とした１人部屋、２人部屋、３人部屋、４人部屋…）及び入室人数（１人部屋であれば１人のみ、２人部屋であれば１人の場合と２人の場合の２パターン、３人部屋であれば１人の場合と２人の場合と３人の場合の３パターン、４人部屋であれば１人の場合と２人の場合と３人の場合と４人の場合の４パターン）に対応して設定されている。具体的には、以下の通りである。
１人部屋で入室人数１人の場合…目標ゲイン値ファイル：hosei1-1.prm
２人部屋で入室人数１人の場合…目標ゲイン値ファイル：hosei2-1.prm
２人部屋で入室人数２人の場合…目標ゲイン値ファイル：hosei2-2.prm
３人部屋で入室人数１人の場合…目標ゲイン値ファイル：hosei3-1.prm
３人部屋で入室人数２人の場合…目標ゲイン値ファイル：hosei3-2.prm
３人部屋で入室人数３人の場合…目標ゲイン値ファイル：hosei3-3.prm
４人部屋で入室人数１人の場合…目標ゲイン値ファイル：hosei4-1.prm
４人部屋で入室人数２人の場合…目標ゲイン値ファイル：hosei4-2.prm
４人部屋で入室人数３人の場合…目標ゲイン値ファイル：hosei4-3.prm
４人部屋で入室人数４人の場合…目標ゲイン値ファイル：hosei4-4.prm
なお、５人部屋以上の場合についても同様に設定されている。
【００２４】
操作パネル１５はカラオケ装置１の前面に設けられており、曲コード入力スイッチやキーチェンジスイッチ、あるいは入力された曲コード等を表示するための７セグメントＬＥＤなどを有している。
【００２５】
映像処理部１６は、曲データ中に含まれる、あるいは別途ハードディスク記憶装置１４に記憶されている背景映像データに歌詞データをスーパーインポーズで合成してモニタ３０に表示する。もちろん、それ以外の内容を表示することも可能である。
【００２６】
（音声処理部２０の構成）
音声処理部２０は、音声処理部２０全体の動作を制御するＣＰＵ２１に、バスを介してＲＯＭ２２、ＲＡＭ２３、音源部２４、１５バンドイコライザ（以下、単にイコライザと称す。）２５、ボイスエフェクト部２６が接続されている。
【００２７】
音声処理部２０のＣＰＵ２１とメイン制御部１０のＣＰＵ１１とはＵＳＢ（Universal Serial Bus）によって接続されている。そのため、後述の処理において、メイン制御部１０のハードディスク記憶装置１４に記憶されている目標ゲイン値を、メイン制御部１０のＣＰＵ１１を介して取得し、このＲＡＭ２３に記憶させている。ＲＯＭ２２には、この音声処理部２０の動作を制御するアプリケーションプログラムなどが記憶されている。
【００２８】
音源部２４は、曲データの楽音トラックのデータに基づいて（デジタル）楽音信号を形成する。曲データは、カラオケ演奏時に、音声処理部２０のＣＰＵ２１がメイン制御部１０のＣＰＵ１１を介してハードディスク記憶装置１４から読み出す。楽音トラックは複数トラックで構成されており、音源部２４はこのデータに基づいて複数パートの楽音信号を同時に形成する。音源部２４が形成した楽音信号がカラオケ演奏音であり、これらはイコライザ２５に入力される。イコライザ２５は、このカラオケ演奏音に対して所定の音響効果を付与するのであるが、具体的には、２０Ｈｚ〜２０ｋＨｚの周波数帯域を１５の帯域（バンド）に分割し、それぞれの周波数帯域の音圧に対するゲイン値を−１２ｄＢ〜＋１２ｄＢの範囲で変更する。イコライザ２５によって音圧周波数特性が変更された（デジタル）楽音信号は、図示しないＤＡ変換器を介してアナログ信号に変換され、後述の歌唱音声信号とミキシングされて外付け装置であるスピーカ４０へ出力される。
【００２９】
一方、外付け装置である歌唱用のマイク５０から入力された歌唱音声信号あるいは音信号は、図示しないマイクアンプにて増幅され、やはり図示しないＡＤ変換器を介してデジタル信号に変換されてボイスエフェクト部２６へ入力する。ボイスエフェクト部２６では歌唱音声信号に対してエコーなどの音響効果を付与して出力する。ボイスエフェクト部２６から出力された歌唱音声信号は、上述のように楽音信号とミキシングされてスピーカ４０へ出力される。
【００３０】
（目標ゲイン値の説明）
本実施形態の通信カラオケシステムにおいては、カラオケ装置１においてカラオケ演奏を実行できることはもちろん、部屋の大きさ（最大収容人数）及び入室人数に応じた音圧周波数特性の調整を行うことができる。まず、このような音圧周波数特性の調整の必要性について簡単に説明する。
【００３１】
通信カラオケシステムにおいては、カラオケ装置１が設置されて楽曲データを再生し演奏する環境が画一的ではないのが実情である。たとえカラオケボックス（部屋）であっても、部屋の広さが異なる。そしてさらに、入室人数もケースバイケースであり、例えば２〜３人のグループであっても、他に適切な部屋がない場合には、例えば最大収容人数１０人の部屋を利用させることも考えられる。部屋の広さに応じて適切な音圧周波数特性が異なると共に、入室人数によっても適切な音圧周波数特性は異なる。上述例で言えば、１０人部屋に２〜３人しか居ない場合と、１０人居る場合とでは適切な音圧周波数特性は異なってくる。これは、人体と空気という２種類の媒体を考えた場合、それらの媒体内での音速が異なるためである。
【００３２】
そこで、図２に示すテーブルのように、部屋の大きさ及び入室人数に対応して目標ゲイン値を予め設定しておき、実際にカラオケ演奏がなされる部屋の大きさ及び入室人数に対応した目標ゲイン値を用いて音圧周波数特性を調整する。この目標ゲイン値については、例えば曲データを制作するデータ制作者側で決定すればよい。例えば、予め最大収容人数に対応する標準的な部屋にて実測等をすることによって目標ゲイン値を設定しておく。具体的には、最大収容人数１人、２人、３人…の部屋において入室人数を１人〜最大収容人数まで変化させながら実測等をし、部屋の最大収容人数と入室人数に応じた目標ゲイン値を設定する。実測は、ピンクノイズ（基準音声信号）を出力し、それをマイクにて入力して周波数解析（ＦＦＴ）し、イコライザ２５における１５の周波数帯域と同じように、２０Ｈｚ〜２０ｋＨｚの周波数帯域を１５の帯域（バンド）に分割し、それぞれの周波数帯域の音圧を解析したデータに基づきさらに調整を加えて設定する。実測に際しては、ピンクノイズ等の単純な音信号を出力させて測定しているが、実際のカラオケ装置にて出力されるカラオケ伴奏音はかなり複雑な音信号となっている。そのため、例えばカラオケ楽曲の作成者側において、より適切と考えられる目標音圧周波数特性があれば、それに合ったゲイン値にすることが好ましいからである。
【００３３】
このようにして部屋の大きさ及び入室人数に対応して目標ゲイン値が予め設定されるため、図２に示すようにその目標ゲイン値をテーブル化し、配信用ホスト装置１００から各カラオケ装置１に対して配信する。各カラオケ装置１では、実際にカラオケ装置１が設置された部屋の大きさをハードディスク記憶装置１４に記憶している。これは、カラオケ装置１を設定する者が操作パネル１５等を操作して記憶するようにすればよい。そして、入退室管理装置５０から入室人数の通知を受けると、部屋の大きさ及び入室人数が確定するので、それに対応する目標ゲイン値を読み出して、イコライザ２５におけるゲイン値として設定する。
【００３４】
（音圧周波数特性の調整に係る動作説明）
次に、本実施形態の通信カラオケシステムにて実行される音圧周波数特性の調整に係る動作について説明する。
【００３５】
図３はカラオケ装置１にて実行される音圧周波数特性の調整に係る処理を示すフローチャートであり、図４は入退室管理装置５０にて実行される処理を示すフローチャートである。
【００３６】
図３に示すようにカラオケ装置１では、入退室管理装置５０から入室人数の通知があったか否か判断する（Ｓ１０）。入室人数の通知がなければ（Ｓ１０：ＮＯ）、通知があるまでＳ１０の判断を行う。
【００３７】
ここで、図４を参照して入退室管理装置５０における入室人数の通知に関する処理を説明する。入退室管理装置５０では、入力装置６５を介して入室人数の入力があったか否か判断する（Ｓ１１０）。入力装置６５への入力は人が行う。例えば新規の来客があった場合には店員が空室を検索し、空室が存在する場合には、入店処理として、その部屋に入室する人数を入力する。入室人数の入力がなければ（Ｓ１１０：ＮＯ）、入力があるまでＳ１１０の判断を行い、入室人数の入力があった場合には（Ｓ１１０：ＹＥＳ）、追加入店か否か判断する（Ｓ１２０）。入力装置６５における人数入力に際しては新規の入店か追加入店かを区別して入力することができるようになっており、追加入店でない場合、つまり新規入店の場合には（Ｓ１２０：ＮＯ）、入室人数をハードディスク記憶装置５４に登録する（Ｓ１３０）。
【００３８】
この登録が済むと、入室先の部屋番号に対応するカラオケ装置１のＩＰアドレスを読み出し（Ｓ１６０）、該当するカラオケ装置１に対して入室人数を通知する（Ｓ１７０）。なお、ハードディスク記憶装置５４には、部屋番号に対応するカラオケ装置１毎のＩＰアドレスも記憶されている。
【００３９】
一方、追加入店の場合には（Ｓ１２０：ＹＥＳ）、ハードディスク記憶装置５４に記憶されている現在の入室人数を読み出し（Ｓ１４０）、入力された入室人数を加算する（Ｓ１５０）。その後は、上述したＳ１６０，Ｓ１７０の処理を実行する。したがって、Ｓ１７０では、追加入店した人も含めた総入室人数が通知されることとなる。
【００４０】
図３のカラオケ装置１での処理の説明に戻り、入退室管理装置５０から入室人数の通知（つまり図４のＳ１７０）があった場合は（Ｓ１０：ＹＥＳ）、ハードディスク記憶装置１４に記憶されている最大収容人数を読み出す（Ｓ２０）。そして、Ｓ２０で読み出した最大収容人数（つまり、図２でいうところの何人部屋かということ）と入退室管理装置５０から通知された入室人数とに基づいて、図２中における対応する目標ゲイン値ファイルを決定する（Ｓ３０）。その決定した目標ゲイン値をイコライザ２５に設定する（Ｓ４０）。
【００４１】
以上のような処理を実行することで、イコライザ２５におけるゲイン値を、部屋の大きさ及び入室人数に応じた値に変更（調整）することができる。
（曲データ・目標ゲイン値データの配信を受ける場合の動作説明）
次に、本実施形態の通信カラオケシステムにてカラオケ装置１が配信用ホスト装置１００から曲データ・目標ゲイン値を含むデータファイルが配信される際の動作について説明する。
【００４２】
本実施形態では、配信用ホスト装置１００が曲データをカラオケ装置１へ配信する際に目標ゲイン値も配信するようにしている。配信パターンとしては、目標ゲイン値を配信した後に曲データを配信するパターン、曲データを配信した後に目標ゲイン値を配信するパターン、配信用ホスト装置１００が曲データと目標ゲイン値を１つのデータファイルとしてカプセル化して曲データ、目標ゲイン値を同時にカラオケ装置１へ配信し、カラオケ装置１において前記データファイルから、曲データと目標ゲイン値とに分けるパターンの３通りが考えられる。
【００４３】
なお、配信に際しては、端末発呼であってもよいし、ホスト発呼であってもよい。
端末発呼タイプの場合の概略動作は、次のようになる。カラオケ装置１が、予め配信用ホスト装置１００からダウンロードする時刻としてプログラムされた所定の時刻になったか否か判断し、ダウンロード時刻になった場合には、配信用ホスト装置１００に対して発呼し接続を確立する。そして、配信用ホスト装置１００は、ハードディスク記憶装置１０４に保持されているファイル一覧をカラオケ装置１へ送信し、カラオケ装置１では、そのファイル一覧の先頭のファイル名から順番にチェックし、カラオケ装置１のハードディスク記憶装置１４内に保持していなければ、該当するファイルの配信を配信用ホスト装置１００へ要求する。配信用ホスト装置１００では、カラオケ装置１から要求されたファイルをカラオケ装置１へ送信する。
【００４４】
一方、ホスト発呼タイプの場合の概略動作は、次のようになる。配信用ホスト装置１００は、予めカラオケ装置１へ配信する時刻としてプログラムされた所定の時刻になったか否か判断し、配信時刻になった場合には、配信すべきカラオケ装置１を特定するための端末リストを参照して、端末リストの上から順番に１箇所の端末情報（この場合はシリアル番号＋電話番号）を取得し、該当するカラオケ装置１に対して発呼し接続を確立する。配信用ホスト装置１００では、Ｓ７４０にてカラオケ装置１との接続が確立すると、ハードディスク記憶装置１０４に保持されているファイル一覧をカラオケ装置１へ送信する。カラオケ装置１では、配信用ホスト装置１００から送信されたファイル一覧を受信し、そのファイル一覧の先頭のファイル名から順番にチェックし、カラオケ装置１のハードディスク記憶装置１４内に保持していなければ、該当するファイルの配信を配信用ホスト装置１００へ要求する。配信用ホスト装置１００では、カラオケ装置１から要求されたファイルをカラオケ装置１へ送信する。
【００４５】
（第１実施形態の効果）
各カラオケ装置１では、ハードディスク記憶装置１４に記憶された最大収容人数及び入退室管理装置５０から通知される入室人数に対応する目標ゲイン値を、図２に示す目標ゲイン値テーブル中から読み出し、その読み出した目標ゲイン値に基づいてイコライザ２５のゲイン値を調整する。このようにすることで、従来技術にて開示した音響再生装置のように主音源と別に副音源を準備する必要もなく、簡易な構成となる。そうでありながら、部屋の広さ及び入室人数に応じた適切な音圧周波数特性の調整を実現できる。
【００４６】
また、本実施形態の場合には、カラオケ装置１として実現しているため非常に有用である。カラオケ装置１がカラオケボックスに設置される場合を考えると、各部屋の最大収容人数が複数種類存在することが多い。つまり、利用者側の人数に応じて適切な部屋を準備しておくことが営業上も重要となってくるからである。但し、常に最大収容人数の利用者となるのではないため、実際の入室人数が最大収容人数未満となることも多い。例えば２〜３人のグループであっても、他に適切な部屋がない場合には、例えば最大収容人数１０人の部屋を利用させることも考えられる。したがって、本カラオケ装置１であれば、部屋の広さ及び入室人数に応じた適切な音圧周波数特性の調整がなされた状態でカラオケを楽しむことができ、利用者の満足度を向上させることができる。
【００４７】
目標ゲイン値は、カラオケ楽曲の制作者が「このような音圧周波数特性が好ましい」と考える、いわば「推奨する」音圧周波数特性を特定するためのゲイン値である。したがって、一度決めた目標ゲイン値も、その後の検討によって変更される可能性がある。そのような場合でも、配信用ホスト装置１００からカラオケ装置１へその変更後の目標ゲイン値を配信すれば、あとは各カラオケ装置１にてゲイン値調整が実行されるため、非常に便利である。
［第２実施形態］
上記第１実施形態では、カラオケ装置１へ通知する入室人数の検知を人が介在して行った。つまり、カラオケボックスの管理者（受付スタッフ等）が入室人数を把握して入力装置６５を介して入退室管理装置５０へ入力するようにした。しかし、入室人数を自動的に検出するように構成することも可能である。その場合の具体例を、図５を参照して説明する。
【００４８】
入室人数を自動的に検出する構成としては、図５に示すように発光部７０及び受光部８０を用いる。そして、受光部８０が入退室管理装置５０に接続されている。
図５（ｂ）に示すように、発光部７０は電源や発光体を備えており、受光部８０は電源やＣｄＳセル（硫化カドミウムを主成分とした光導電素子）やコンパレータやカウンタを備えている。これら発光部７０及び受光部８０は、図５（ｂ）に示すように、カラオケボックスの管理者がカラオケ利用者の登録を行うための入退室管理装置５０の配置場所とカラオケを行う部屋との間の通路に配置される。発光部７０の発光体と受光部８０のＣｄＳセルとはお互い前記通路を挟んで対面して配置されている。そして、利用者が発光部７０と受光部８０との間を通過する場合には、発光部７０の発光体から放射される光が受光部８０のＣｄＳセルへ入力する進路を遮るように配置されている。
【００４９】
また、入退室管理装置５０は部屋入力スイッチ５８を備えており、この部屋入力スイッチ５８のオン／オフ状態を示す信号等は受光部８０のカウンタに出力され、カウンタからの出力（カウンタ値）は入退室管理装置５０へ出力されるよう構成されている。
【００５０】
このような構成により、以下のようにして入室人数を検出・通知する。
カラオケ利用者（例えば４人の利用者をそれぞれＡ〜Ｄとする。）の入店登録を管理者が力装置６５（図５参照）を用いて入退室管理装置５０へ行うと、入退室管理装置５０は部屋入力スイッチ５８をオフからオンにする。その部屋入力オン信号は受光部８０のカウンタへ出力される。部屋入力オン信号が入力されると受光部８０は検出動作を開始する。なお、部屋入力スイッチ５８がオンからオフになり、その部屋入力オフ信号が入力されると受光部８０は検出動作を終了となる。部屋入力オン信号が入力されると受光部８０のカウンタ・ラッチ回路はオフとなり、部屋入力オン信号が入力されている間は、カウンタはコンパレータからのパルス信号の入力数の数量のカウントを行う。部屋入力オン信号が入力されて受光部８０が検出動作を開始した後、利用者Ａ〜Ｄが発光部７０と受光部８０の間を順次通過すると、その通過を検出する。その検出動作を具体的に説明する。
【００５１】
利用者が発光部７０と受光部８０の間を通過する以前は発光部７０の発光体の光は受光部８０のＣｄＳセルに到達しておりＣｄＳセルの抵抗値は最小になっている。利用者Ａ〜Ｄがそれぞれ発光部７０と受光部８０の間の通過を開始すると、発光部７０の発光体からの光は利用者に遮られて受光部８０のＣｄＳセルへ届かなくなる。すると、ＣｄＳセルへ入射する光量が最大から減少するに応じてＣｄＳセルの抵抗値は増加し、光が遮断されるとＣｄＳセルの抵抗値は最大となる。
【００５２】
ＣｄＳセル抵抗値の最大値と最小値の中間値がコンパレータのしきい値となるように抵抗Ｒ１００とＲ１０１の分圧比は予め決められているので、発光体からＣｄＳセルへ最大に受光された状態から遮断された状態、つまりＣｄＳセルの抵抗値が最小値から最大値へ変化した時にコンパレータの出力論理は０→１レベルへ変化し、利用者の通過が終了すると再び発光体からＣｄＳセルへの受光は遮断から最大となり、ＣｄＳセルの抵抗値は最大値から最小値へ変化し、コンパレータの出力論理は１→０へと変化する。コンパレータ出力論理０→１→０の変化を数量１のパルスとする。
【００５３】
カウンタは、部屋入力オン／オフ信号がオフ→オン→オフと変化する間におけるコンパレータからのパルス数量のカウントを行い、部屋入力オン／オフ信号がオンからオフへの変化を検出した時点のカウンタ値をラッチし、カンンタ値を入退室管理装置５０へ出力する。
【００５４】
図６には、部屋入力オン／オフ信号がオフ→オンと変化した後に４人の利用者Ａ〜Ｄが発光部７０と受光部８０の間を順次通過した場合の信号状態やカウンタ値等の変化を示した。コンパレータはパルスを４回出力し、カウンタはパルス数量４をカウントする。利用者全員がカラオケを行う部屋へ入室したことを管理者が確認した場合、入力装置６５を介して入店登録完了操作を行う。すると、部屋入力スイッチ５８がオン→オフとなり、部屋入力オフ信号が受光部８０へ出力されることにより、受光部８０のカウンタはカウンタ値４を入退室管理装置５０へ通知する。これによって、入退室管理装置５０では、は４人の利用者が部屋に入力したと判断し、入室先の部屋番号に対応するカラオケ装置１のＩＰアドレスを読み出して、該当するカラオケ装置１に対して入室人数を通知する。
［第３実施形態］
上記第２実施形態では、入室人数を自動的に検知しているが、その入室人数は入退室管理装置５０からカラオケ装置１へ通知していた。しかし、例えば各カラオケ装置１が個別に検知できるようになっていてもよい。
【００５５】
その場合は、カラオケ装置１が設置されている部屋の中に存在する人数を検出する手段をカラオケ装置１に接続すればよい。この人数検出手段としては、例えば特開２００１−１７５８６８号公報に開示されるような公知の人数検出技術を用いることが考えられる。図７を参照して具体的に説明する。
【００５６】
図７に示す人物検出装置は、１台以上のカメラ９１と、画像取得装置９２と、人物検出装置９３と、人物計数装置９４を備えている。
カメラ９１は、多数の人物が存在する対象空間の上方に設置され、単一のカメラによって、または複数のカメラを切り替えて人物群を含む画像を撮影する。
【００５７】
画像取得装置９２は、カメラ９１により撮影された画像フレームを必要に応じて切り替えて所定の時間間隔で取り込み、離散化など周知の処理を行って画像処理可能な静止画像を得る。
【００５８】
人物検出装置９３は、人物の輪郭形状モデルを保持し、画像取得装置９２によって取り込まれた画像から、所定の許容範囲内で該輪郭形状モデルに合致する形状を有する画像を抽出し、抽出された各画像を画像中に撮像されている人物として、当該人物が存在する領域を代表する点の、画像平面上における座標を出力する。
【００５９】
人物計数装置９４は、人物検出装置９３によって得られた人物検出結果から、画像中の視界内に存在する人物数を計数する。
人物計数装置９４で計数された画像中の人物計数結果は、カラオケ装置１へ出力される。これによってカラオケ装置１は、当該カラオケ装置１が設置されている部屋内に存在する人数を把握することができ、結果として入室人数を取得できる。
［その他］
（１）入室人数を特定するための手法としては、例えばカラオケ装置１の操作パネル１５を操作して入室人数を入力するようにしてもよい。この手法の場合、カラオケ装置１の利用者自身が入室人数を入力する運用も考えられるが、カラオケ店の店員が当該部屋まで出向き、操作パネル１５を介して入室人数を入力することで利用者の負担軽減を実現することができる。但し、そのような作業が発生するのであれば、上述の第１実施形態のように入退室管理装置５０において集中的に管理する方が効率的である。
【００６０】
（２）上記実施形態では、いわゆる通信カラオケシステムとして実現した例を説明したが、スタンドアロンのカラオケ装置であっても実現は可能である。
【図面の簡単な説明】
【００６１】
【図１】第１実施形態のカラオケ装置を含む、情報通信システムとしての通信カラオケシステムの構成を示すブロック図である。
【図２】目標ゲイン値テーブルの説明図である。
【図３】カラオケ装置１にて実行される音圧周波数特性の調整に係る処理を示すフローチャートである。
【図４】入退室管理装置５０にて実行される処理を示すフローチャートである。
【図５】第２実施形態における人数検出のための構成説明図である。
【図６】部屋入力オン／オフ信号がオフ→オンと変化した後に４人の利用者Ａ〜Ｄが発光部７０と受光部８０の間を順次通過した場合の信号状態やカウンタ値等の変化を示すタイムチャートである。
【図７】第３実施形態における人数検出のための構成説明図である。
【符号の説明】
【００６２】
１…カラオケ装置、１０…メイン制御部、１１…ＣＰＵ、１２…モデム、１３…ＲＡＭ、１４…ハードディスク記憶装置、１５…操作パネル、１６…映像処理部、２０…音声処理部、２１…ＣＰＵ、２２…ＲＯＭ、２３…ＲＡＭ、２４…音源部、２５…イコライザ、２６…ボイスエフェクト部、３０…モニタ、４０…スピーカ、４５…マイク、５０…入退室管理装置、５１…ＣＰＵ、５２…ＲＯＭ、５３…ＲＡＭ、５４…ハードディスク記憶装置、５５…ＮＩＣ、６０…モニタ、６５…入力装置、９０…一般公衆回線網又はインターネット、１００…配信用ホスト装置、１０１…ＣＰＵ、１０２…ＲＯＭ、１０３…ＲＡＭ、１０４…ハードディスク記憶装置、１０５…通信制御部。
【図１】
2006039299.tif 000003
【図２】
2006039299.tif 000004
【図３】
2006039299.tif 000005
【図４】
2006039299.tif 000006
【図５】
2006039299.tif 000007
【図６】
2006039299.tif 000008
【図７】
2006039299.tif 000009